(57)【要約】【課題】小型化して取付け性を高めると共に製造コストを低減し得る防音装置を得る。【解決手段】防音壁４０の上部に、下端部側で相互に連結されると共に分岐された形の一対の分岐壁１６、１８が、それぞれ傾斜しつつ上方に直線状に延びるように位置している。一対の先端壁２０、２２が、一対の分岐壁１６、１８の上端部から相互に近づく形で傾斜しつつ上方にそれぞれ直線状に延びるように形成される。防音壁４０の上部に支持壁１４が取り付けられ、一対の分岐壁１６、１８の下端部が支持壁１４の上端部に取り付けられた構造になる。支持壁１４の下端部は底壁２４と接続され、底壁２４の音源側の端部に、垂直方向となる上方に直線状に延びる側面壁２６の下端部が取り付けられる。【選択図】図１
2005139611.tif 000002
【特許請求の範囲】
【請求項１】
防音壁の上部に位置し且つ、音源側に傾斜する壁面と反音源側に傾斜する壁面とに分岐されてそれぞれ傾斜しつつ上方に直線状に延びる一対の分岐壁と、
分岐壁よりそれぞれ短く形成され且つ、一対の分岐壁の上端部から相互に近づく形で傾斜しつつ上方にそれぞれ直線状に延びる一対の先端壁と、
一対の分岐壁の音源側に配置されて上方に直線状に延びる側面壁と、
を有したことを特徴とする防音装置。
【請求項２】
防音壁の上部から上方に直線状に延びる支持壁が設けられ、この支持壁の上端部に一対の分岐壁の下端部が取り付けられることを特徴とする請求項１記載の防音装置。
【請求項３】
一対の分岐壁の内の音源側に傾斜する壁面とされる分岐壁の上端部より反音源側寄りに、側面壁が位置することを特徴とする請求項２記載の防音装置。
【請求項４】
支持壁の高さより側面壁が高く形成されることを特徴とする請求項２記載の防音装置。
【請求項５】
防音壁の上部から上方に直線状に延びる支持壁が設けられ、一対の分岐壁の内の音源側に傾斜する壁面とされる分岐壁の上端部が、この支持壁の上端部に取り付けられることを特徴とする請求項１記載の防音装置。
【請求項６】
斜行壁が側面壁の上端部に設置され、一対の先端壁の内の音源側に位置する先端壁と平行になるように、この斜行壁が反音源側に傾斜しつつ上方に直線状に延びることを特徴とする請求項１記載の防音装置。
【請求項７】
上方に直線状に延びる反音源側側面壁が、一対の分岐壁の反音源側に設けられることを特徴とする請求項２記載の防音装置。
【請求項８】
側面壁と支持壁との間或いは、反音源側側面壁と支持壁との間に、横壁が設けられたことを特徴とする請求項７記載の防音装置。
【発明の詳細な説明】
【技術分野】
【０００１】
本発明は、小型化して取付け性を高めると共に製造コストを低減し得る防音装置に関し、特に道路、鉄道、工場等から発生する騒音の防止対策として設けられる防音壁の上部を構成する防音装置に好適なものである。
【背景技術】
【０００２】
従来より、道路、鉄道、工場等から発生する騒音の対策として、直接的に騒音が伝播するのを防止する為に防音壁を設置することが、広く行われている。これは各種の騒音防止対策の中で対策費用が比較的安く、しかも種々の騒音発生源に対して効果があるからであり、この防音壁の高さを高くすることにより、騒音の低減効果をより大きくすることが可能となる。
【０００３】
しかし、防音壁の高さを高くすればするほど、施工費等が増してコストアップになるだけでなく、日照、景観、眺望、圧迫感、通風、電波障害、耐風荷重等多くの問題が生じる。そこで、防音壁の高さを高くすることなく騒音の低減効果を増大するために、図１１に示す特許文献１の構造のように、防音壁の上部に上方に開口されて騒音を取込む複数の凹部１２２、１２４を有した防音装置１１０が開発された。
【特許文献１】特開２０００−８３３２号公報
【特許文献２】特開２０００−１１０１２０号公報
【発明の開示】
【発明が解決しようとする課題】
【０００４】
しかし、特に図１１に示す特許文献１の防音装置の構造では、直線状に形成された壁部１１２の他に、曲面状に形成された壁部１１４を有していることから、防音装置の幅寸法Ｄ１が大きくなるのに伴い、取付け場所に大きな制限が生じると共に、防音装置１１０の取付け作業が困難となって施工の為のコストが増大する欠点を有していた。
【０００５】
さらに、曲面状に形成された壁部１１４の製造は困難であることから、防音装置の製造コストが増大する欠点をも有していた。
本発明は上記事実を考慮し、小型化して取付け性を高めると共に製造コストを低減し得る防音装置を提供することが目的である。
【課題を解決するための手段】
【０００６】
請求項１に係る防音装置は、防音壁の上部に位置し且つ、音源側に傾斜する壁面と反音源側に傾斜する壁面とに分岐されてそれぞれ傾斜しつつ上方に直線状に延びる一対の分岐壁と、
分岐壁よりそれぞれ短く形成され且つ、一対の分岐壁の上端部から相互に近づく形で傾斜しつつ上方にそれぞれ直線状に延びる一対の先端壁と、
一対の分岐壁の音源側に配置されて上方に直線状に延びる側面壁と、
を有したことを特徴とする。
【０００７】
請求項１に係る防音装置の作用を以下に説明する。
本請求項では、音源側に傾斜する壁面と反音源側に傾斜する壁面とに分岐される一対の分岐壁が、それぞれ傾斜しつつ上方に直線状に延びる構成となっている。さらに、分岐壁よりそれぞれ短く形成される一対の先端壁が、一対の分岐壁の上端部から相互に近づく形で傾斜しつつ上方にそれぞれ直線状に延びており、また、一対の分岐壁の音源側に配置される側面壁が、上方に直線状に延びている。
【０００８】
従って、一対の分岐壁、一対の先端壁及び側面壁がそれぞれ直線状に形成されて、曲面状に形成された壁部を有していない為、防音装置の幅寸法が小さくなるのに伴って、防音装置の取付け場所に大きな制限が生じないようになると共に、防音装置の取付け作業が容易となって施工の為のコストが低減される。さらに、曲面状に形成された壁部が無いことから、上記の各壁の製造が容易となって防音装置の製造コストが低減される。
以上より、本請求項によれば、防音装置が小型化されて取付け性が高まると共に防音装置の製造コストが低減されることになる。
【０００９】
請求項２に係る防音装置の作用を以下に説明する。
本請求項では請求項１と同様の構成を有して同様に作用するが、さらに、防音壁の上部から上方に直線状に延びる支持壁が設けられ、この支持壁の上端部に一対の分岐壁の下端部が取り付けられるという構成を有している。
従って本請求項では、支持壁の高さを調整することによって防音壁上の必要な高さ位置に一対の分岐壁を容易に配置することが可能となる。さらに、側面壁と支持壁との間に平行な空間が形成される形となって、必要な防音特性をより得やすくなる。
【００１０】
請求項３に係る防音装置の作用を以下に説明する。
本請求項では請求項２と同様の構成を有して同様に作用するが、さらに、一対の分岐壁の内の音源側に傾斜する壁面とされる分岐壁の上端部より反音源側寄りに、側面壁が位置するという構成を有している。
従って、音源側に傾斜する壁面とされる側の分岐壁の上端部より、側面壁が音源側寄りに突出して配置されていないことから、防音装置の全体の幅寸法が小さくなるのに伴って、防音装置がより小型化されると共に軽量化されるようになる。
【００１１】
請求項４に係る防音装置の作用を以下に説明する。
本請求項では請求項２と同様の構成を有して同様に作用するが、さらに、支持壁の高さより側面壁が高く形成されるという構成を有している。
従って、支持壁の高さを調整することと相まって、側面壁と支持壁との間の平行な空間が上方に延ばされる形となり、防音装置の全体の幅寸法を小さくしつつ、必要な防音特性をより得やすくなる。
【００１２】
請求項５に係る防音装置の作用を以下に説明する。
本請求項では請求項１と同様の構成を有して同様に作用するが、さらに、防音壁の上部から上方に直線状に延びる支持壁が設けられ、一対の分岐壁の内の音源側に傾斜する壁面とされる分岐壁の上端部が、この支持壁の上端部に取り付けられるという構成を有している。
【００１３】
従って本請求項では、音源側に傾斜する壁面とされる分岐壁の上端部が、防音壁の上部から上方に直線状に延びる支持壁の上端部に取り付けられているので、支持壁の高さを調整することによって防音壁上の必要な高さ位置に分岐壁を容易に配置できるだけでなく、支持壁と側面壁との間の隙間が小さくなる結果として、防音装置の全体の幅寸法が小さくなるのに伴って、防音装置がより小型化されると共に軽量化されるようになる。
【００１４】
請求項６に係る防音装置の作用を以下に説明する。
本請求項では請求項１と同様の構成を有して同様に作用するが、さらに、斜行壁が側面壁の上端部に設置され、一対の先端壁の内の音源側に位置する先端壁と平行になるように、この斜行壁が反音源側に傾斜しつつ上方に直線状に延びるという構成を有している。
【００１５】
従って本請求項では、先端壁と平行になるように反音源側に傾斜しつつ上方に直線状に延びている斜行壁を側面壁の上端部に設置したことで、先端壁と斜行壁との間に平行な空間ができるようになる。この結果として、側面壁と支持壁との間の平行な空間が上方に延ばされる形となって、必要な防音特性をより得やすくなる。
【００１６】
請求項７に係る防音装置の作用を以下に説明する。
本請求項では請求項２と同様の構成を有して同様に作用するが、さらに、上方に直線状に延びる反音源側側面壁が、一対の分岐壁の反音源側に設けられるという構成を有している。
従って本請求項では、反音源側側面壁と支持壁との間に平行な空間が形成される形となっている為、他の空間と相まって必要な防音特性をより一層得やすくなる。
【００１７】
請求項８に係る防音装置の作用を以下に説明する。
本請求項では請求項７と同様の構成を有して同様に作用するが、さらに、側面壁と支持壁との間或いは、反音源側側面壁と支持壁との間に、横壁が設けられたという構成を有している。
従って本請求項では、側面壁と支持壁との間に存在する空間或いは、反音源側側面壁と支持壁との間に存在する空間の何れか一方が、横壁の存在により浅くなる結果として、これらの空間によって相互に周波数の異なる音のエネルギーをより確実に減衰できるようになり、必要な防音特性をより一層確実に得やすくなる。
【発明の効果】
【００１８】
以上説明したように本発明の上記構成によれば、小型化して取付け性を高めると共に製造コストを低減し得る防音装置を提供できるという優れた効果を有し、道路、鉄道、工場等から発生する騒音の防止対策として設けられる防音壁の上部を構成する防音装置で特に優れた効果を発揮する。
【発明を実施するための最良の形態】
【００１９】
本発明の最良の形態に係る防音装置を図を参照しつつ説明する。
まず、本発明の最良の形態に係る防音装置の第１実施例を図１から図３に基づき説明する。図１に示すように、道路又は線路に沿って設けられた防音壁４０が、道路、鉄道、工場等により騒音が発生する音源側（図１の右側）とこれらの騒音が発生しない反音源側（図１の左側）との間を仕切っている。
【００２０】
この防音壁４０の上部には、下端部側で相互に連結されると共に例えば９０°角度で分岐された形の一対の分岐壁１６、１８が、それぞれ傾斜しつつ上方に直線状に延びるように、位置している。この内の音源側に例えば４５°角度で傾斜する壁面が第１分岐壁１６とされ、反音源側に例えば４５°角度で傾斜する壁面が第２分岐壁１８とされている。
【００２１】
さらに、第１分岐壁１６の上端部から、この第１分岐壁１６より短く形成された第１先端壁２０が、反音源側に例えば４５°角度で傾斜するように延びている。また、第２分岐壁１８の上端部から、この第２分岐壁１８より短く形成された第２先端壁２２が、音源側に例えば４５°角度で傾斜するように延びている。つまり、これら一対の先端壁２０、２２が、一対の分岐壁１６、１８の上端部から相互に近づく形で傾斜しつつ上方にそれぞれ直線状に延びるように形成されている。
【００２２】
以上より、これら一対の分岐壁１６、１８及び一対の先端壁２０、２２により区画されると共に、上部が開放された凹部となる五角形断面の空間が、本実施例の防音装置１０の第１空間部３２とされている。
【００２３】
一方、防音壁４０の上部には、ねじ止め等されて防音壁４０に固定された連結部材１２を介して支持壁１４が取り付けられており、この支持壁１４が防音壁４０の上部から垂直方向となる上方に直線状に延びるような形で、設けられている。そして、一対の分岐壁１６、１８の下端部が、この支持壁１４の上端部に取り付けられた構造になっている。
【００２４】
さらに、支持壁１４の下端部は、音源側と反音源側との間で水平方向に延びるように配置された底壁２４と接続されており、この底壁２４の音源側の端部には、垂直方向となる上方に直線状に延びる側面壁２６の下端部が取り付けられている。従って、本実施例では、一対の分岐壁１６、１８の音源側にこの側面壁２６が配置された形とされている。
【００２５】
但し、本実施例の防音装置１０では、図１に示すように一対の分岐壁１６、１８の内の音源側に傾斜する壁面とされる第１分岐壁１６の上端部より距離Ｄ２だけ反音源側寄りに、この側面壁２６は位置しており、また支持壁１４の高さＨ１よりこの側面壁２６の高さＨ２が高く形成されている。
以上より、これら支持壁１４、底壁２４及び側面壁２６により区画されると共に、上下方向に延びて上部が開放された凹部となる空間が、本実施例の防音装置１０の第２空間部３４とされている。
【００２６】
また、この防音装置１０は、図３に示すように道路又は線路に沿って防音壁４０と並列してこの防音壁４０上に例えば連続的に複数設けられている。但し、防音装置１０の強度を増大する為に、図２に示すような仕切部材３０が、第１空間部３２及び第２空間部３４をそれぞれ仕切る形で、例えば等間隔で複数配置されている。尚、各壁には仕切部材３０と連結する為の折曲部３６が適宜設けられている。
【００２７】
従って本実施例では、道路又は線路から発生する騒音が開口された第１空間部３２及び第２空間部３４に入り込み、これら第１空間部３２及び第２空間部３４内で相互に周波数の異なる音のエネルギーがそれぞれ減衰されることになる。
【００２８】
次に、本実施例に係る防音装置１０の作用を以下に説明する。
本実施例では、防音壁４０の上部から上方に直線状に延びる支持壁１４が、この防音壁４０に連結部材１２を介して取り付けられている。また、音源側に傾斜する壁面と反音源側に傾斜する壁面とに分岐される一対の分岐壁１６、１８が、それぞれ傾斜しつつ上方に直線状に延びており、一対の分岐壁１６、１８よりそれぞれ短く形成される一対の先端壁２０、２２が、これら一対の分岐壁１６、１８の上端部から相互に近づく形で傾斜しつつ上方にそれぞれ直線状に延びている。
【００２９】
そして、上記の支持壁１４の上端部に一対の分岐壁１６、１８の下端部が取り付けられて、これら一対の分岐壁１６、１８及び一対の先端壁２０、２２がこの支持壁１４に固定された構造になっている。さらに、本実施例の防音装置１０では、上方に直線状に延びる形で側面壁２６が、一対の分岐壁１６、１８の音源側に配置されている。
【００３０】
従って、支持壁１４、一対の分岐壁１６、１８、一対の先端壁２０、２２及び側面壁２６がそれぞれ直線状に形成されて、曲面状に形成された壁部を有していない為、防音装置１０の幅寸法が小さくなるのに伴って、防音装置１０の取付け場所に大きな制限が生じないようになると共に、防音装置１０の取付け作業が容易となって施工の為のコストが低減されるようになる。
【００３１】
また、曲面状に形成された壁部が無いことから、上記の各壁の製造が容易となって防音装置１０の製造コストが低減されるようになる。以上より、本実施例によれば、防音装置１０が小型化されて取付け性が高まると共に防音装置１０の製造コストが低減されることになる。
【００３２】
一方、本実施例では、防音壁４０の上部から上方に直線状に延びる支持壁１４が設けられ、この支持壁１４の上端部に一対の分岐壁１６、１８の下端部が取り付けられていることから、支持壁１４の高さＨ１を調整することによって防音壁４０の必要な高さに一対の分岐壁１６、１８を容易に配置することが可能となる。そして、側面壁２６と支持壁１４との間に平行な空間である第２空間部３４が形成される形となって、必要な防音特性をより得やすくなる。
【００３３】
さらに、本実施例では、音源側に傾斜する壁面とされる第１分岐壁１６の上端部より反音源側寄りに、側面壁２６が位置しており、この側面壁２６の高さＨ２が支持壁１４の高さＨ１より高く形成されている。従って、音源側に傾斜する壁面とされる側の第１分岐壁１６の上端部より、側面壁２６が音源側寄りに突出して配置されていないことから、本実施例でも、防音装置１０の全体の幅寸法が小さくなるのに伴って、防音装置１０がより小型化されると共に軽量化されるようになる。
【００３４】
また、支持壁１４の高さＨ１より側面壁２６の高さＨ２が高く形成されたことから、支持壁１４の高さＨ１を調整することと相まって、側面壁２６と支持壁１４との間の平行な空間が上方に延ばされる形となり、図１に示す防音装置１０の全体の幅寸法Ｄ１を小さくしつつ、必要な防音特性をより得やすくなる。
【００３５】
次に、本発明の最良の形態に係る防音装置の第２実施例を図４に基づき説明する。尚、第１実施例で説明した部材と同一の部材には同一の符号を付して、重複した説明を省略する。
図４に示すように、本実施例の防音装置１０でも一対の分岐壁１６、１８及び一対の先端壁２０、２２がそれぞれ有り、これらにより第１空間部３２が形成されている。但し、本実施例では、防音壁４０の上部から上方に直線状に延びる支持壁１４の上端部に、一対の分岐壁１６、１８の内の音源側に傾斜する壁面とされる第１分岐壁１６の上端部と第１先端壁２０との連結部分が、取り付けられた構造になっている。
【００３６】
さらに、本実施例の防音装置１０でも、一対の分岐壁１６、１８の音源側に側面壁２６が配置されるように、音源側と反音源側との間で水平方向に延びる形で配置された底壁２４の音源側の端部には、側面壁２６の下端部が取り付けられており、この側面壁２６が垂直方向となる上方に直線状に延びるように設けられている。但し、本実施例では、この側面壁２６の上端部に、一対の先端壁２０、２２の内の音源側に位置する第１先端壁２０と平行になるように、反音源側に傾斜しつつ上方に直線状に延びる斜行壁２８が設置されている。尚、この斜行壁２８の上端部の高さと一対の先端壁２０、２２の高さは同一となる。
【００３７】
次に、本実施例に係る防音装置１０の作用を以下に説明する。
本実施例でも、音源側に傾斜する壁面と反音源側に傾斜する壁面とに分岐される一対の分岐壁１６、１８が、それぞれ傾斜しつつ上方に直線状に延びており、これら一対の分岐壁１６、１８よりそれぞれ短く形成される一対の先端壁２０、２２が、これら一対の分岐壁１６、１８の上端部から相互に近づく形で傾斜しつつ上方にそれぞれ直線状に延びている。さらに、上方に直線状に延びる形で側面壁２６が、これら一対の分岐壁１６、１８の音源側に配置されている。
【００３８】
但し、本実施例の防音装置１０では、防音壁４０の上部から上方に直線状に延びる支持壁１４の上端部に、第１分岐壁１６の上端部が取り付けられた形で、一対の分岐壁１６、１８及び一対の先端壁２０、２２がこの支持壁１４に固定された構造になっている。
【００３９】
さらに、本実施例の防音装置１０では、上方に直線状に延びる形で側面壁２６が、一対の分岐壁１６、１８の音源側に配置されているだけでなく、第１先端壁２０と平行になるように反音源側に傾斜しつつ上方に直線状に延びる斜行壁２８が、側面壁２６の上端部に設置されている。
【００４０】
従って、本実施例の防音装置１０でも、支持壁１４、一対の分岐壁１６、１８、一対の先端壁２０、２２、側面壁２６及び斜行壁２８がそれぞれ直線状に形成されて、曲面状に形成された壁部を有していない為、取付け場所に大きな制限が生じないようになると共に、取付け作業が容易となって施工の為のコストが低減されるだけでなく、上記の各壁の製造が容易となって防音装置１０の製造コストが低減される。
以上より、本実施例によっても、防音装置１０が小型化されて取付け性が高まると共に防音装置１０の製造コストが低減されることになる。
【００４１】
一方、本実施例では、音源側に傾斜する壁面とされる第１分岐壁１６の上端部が、防音壁４０の上部から上方に直線状に延びる支持壁１４の上端部に取り付けられている。この為、この支持壁１４の高さを調整することによって防音壁４０上の必要な高さ位置に一対の分岐壁１６、１８を容易に配置できるだけでなく、支持壁１４と側面壁２６との間の隙間が小さくなる結果として、防音装置１０の全体の幅寸法Ｄ１が小さくなるのに伴って、防音装置１０がより小型化されると共に軽量化されるようになる。
【００４２】
さらに、本実施例では、第１先端壁２０と平行になるように反音源側に傾斜しつつ上方に直線状に延びている斜行壁２８が、側面壁２６の上端部に設置されたことで、第１先端壁２０と斜行壁２８との間に平行な空間ができるようになる。この結果として、側面壁２６と支持壁１４との間の平行な空間である第２空間部３４が上方に延ばされる形となって、必要な防音特性をより得やすくなる。
【００４３】
次に、本発明の最良の形態に係る防音装置の第３実施例を図５に基づき説明する。尚、第１実施例で説明した部材と同一の部材には同一の符号を付して、重複した説明を省略する。
図５に示すように、本実施例の防音装置１０でも第１実施例と同様に、一対の分岐壁１６、１８及び一対の先端壁２０、２２がそれぞれ有り、これらにより第１空間部３２が形成され、また、一対の分岐壁１６、１８の音源側に側面壁２６が配置されて、支持壁１４、底壁２４及び側面壁２６により第２空間部３４が形成される形とされている。
【００４４】
但し、本実施例の防音装置１０では、一対の分岐壁１６、１８の反音源側にも反音源側側面壁である側面壁５２が配置されるように、垂直方向となる上方に直線状に延びる側面壁５２の下端部が連結部材１２に取り付けられた構造になっている。
【００４５】
つまり、本実施例の防音装置１０では、第１空間部３２及び第２空間部３４だけでなく、支持壁１４、連結部材１２及び側面壁５２により区画されると共に、上下方向に延びて上部が開放された凹部となる空間である第３空間部５４が、第１空間部３２の反音源側に形成された構造とされている。
【００４６】
以上より、本実施例も第１実施例とほぼ同様の構造とされて第１実施例と同様の作用効果を奏するが、本実施例では側面壁５２と支持壁１４との間に平行な空間である第３空間部５４が形成される形となっている。従って本実施例では、道路又は線路から発生する騒音が開口された第１空間部３２及び第２空間部３４だけでなく、第３空間部５４に入り込み、これら各空間部３２、３４、５４内で相互に周波数の異なる音のエネルギーがそれぞれ減衰されて、必要な防音特性をより得やすくなる。
【００４７】
次に、本発明の最良の形態に係る防音装置の第４実施例を図６に基づき説明する。尚、第１実施例及び第３実施例で説明した部材と同一の部材には同一の符号を付して、重複した説明を省略する。
図６に示すように、本実施例の防音装置１０でも第３実施例と同様に一対の分岐壁１６、１８及び一対の先端壁２０、２２がそれぞれ有り、これらにより第１空間部３２が形成されているだけでなく、側面壁２６及び側面壁５２がそれぞれ有るのに伴い、第２空間部３４及び第３空間部５４が形成された形とされている。
【００４８】
但し、本実施例の防音装置１０では、側面壁５２と支持壁１４との間の所定の高さ部分に、これらの間を繋ぐ横壁５６が配置された構造とされている。この為、本実施例では、第３空間部５４が第２空間部３４と比較して浅い空間となるので、相互に周波数の異なる音のエネルギーをより確実に減衰できるようになり、必要な防音特性をより一層確実に得やすくなる。尚、本実施例では、反音源側の第３空間部５４が音源側の第２空間部３４と比較して浅い空間となっているが、この逆に音源側の第２空間部３４を浅い空間としても良い。
【００４９】
次に、従来例と各実施例とについて防音特性の比較をした試験結果を説明する。
図７に示すように音を発生させる音源４２とマイク等の評価点４４を床面４６上に配置したような条件で、それぞれの防音特性に関する試験を行った。
そして、従来例の防音装置と第１実施例の防音装置と各周波数における音圧レベル（以下、ＳＰＬという）のデータを評価点４４でとり、図８のグラフに示し、また、従来例の防音装置と第２実施例の防音装置と各周波数におけるＳＰＬのデータを同じく評価点４４でとり、図９のグラフに示し、さらに、従来例の防音装置と第４実施例の防音装置と各周波数におけるＳＰＬのデータを同じく評価点４４でとり、図１０のグラフに示した。
【００５０】
これらのグラフより第１実施例、第２実施例及び第４実施例の防音装置は共に、従来例の防音装置と同等の防音特性が得られることが理解できる。この結果、小型化されて取付け性が高まると共に製造コストが低減されるこれら実施例によっても、従来例の防音装置と同等の防音特性が得られることが確認されたことになる。
【００５１】
尚、図７に示す防音装置の長さＬは６０００ｍｍであり、防音装置の高さＨ３は１３８５ｍｍであり、防音装置と音源４２との間の距離Ａ及び、防音装置と評価点４４との間の距離Ｂはそれぞれ２５００ｍｍであった。
【００５２】
さらに、上記実施例に係る防音装置１０の各壁は、金属製の板材により形成することができるが、防音装置を軽量化できると共に、防錆並びに耐蝕性に優れたものとなり、施工も容易となることから、特に押し出し成形のアルミニウム材料で形成しても良い。但し、合成樹脂等の他の材料で各壁を形成しても良い。
【図面の簡単な説明】
【００５３】
【図１】本発明に係る第１実施例の防音装置を示す側面図である。
【図２】本発明に係る第１実施例の防音装置を示す斜視図である。
【図３】本発明に係る第１実施例の防音装置を防音壁上に複数並べた状態を示す図であって、（Ａ）は平面図であり、（Ｂ）は正面図である。
【図４】本発明に係る第２実施例の防音装置を示す側面図である。
【図５】本発明に係る第３実施例の防音装置を示す側面図である。
【図６】本発明に係る第４実施例の防音装置を示す側面図である。
【図７】防音特性を比較するための試験条件を示す図であって、（Ａ）は平面図であり、（Ｂ）は側面図である。
【図８】従来例の防音装置及び第１実施例の防音装置の防音特性を表すグラフを示す図である。
【図９】従来例の防音装置及び第２実施例の防音装置の防音特性を表すグラフを示す図である。
【図１０】従来例の防音装置及び第４実施例の防音装置の防音特性を表すグラフを示す図である。
【図１１】従来例の防音装置を示す側面図である。
【符号の説明】
【００５４】
１０        防音装置
１４        支持壁
１６、１８  分岐壁
２０、２２  先端壁
２６        側面壁
２８        斜行壁
４０        防音壁
【図１】
2005139611.tif 000003
【図２】
2005139611.tif 000004
【図３】
2005139611.tif 000005
【図４】
2005139611.tif 000006
【図５】
2005139611.tif 000007
【図６】
2005139611.tif 000008
【図７】
2005139611.tif 000009
【図８】
2005139611.tif 000010
【図９】
2005139611.tif 000011
【図１０】
2005139611.tif 000012
【図１１】
2005139611.tif 000013